【事件の表示】
　特許第３０５９０９１号「焼却炉における脱硝用液体供給装置」の請求項１に係る特許に対する特許異議の申立てについて、次のとおり決定する。
【結　論】
　訂正を認める。
　特許第３０５９０９１号の請求項１に係る特許を維持する。
【理　由】
１．手続きの経緯
　本件特許第3059091号は、平成7年12月11日に出願され、平成12年4月21日にその特許権の設定登録がなされたものである。
　これに対し、平成12年12月27日に吉田栄一から特許異議の申立てがなされ、取消理由が通知され、その指定期間内の平成13年5月11日に訂正請求書及び特許異議意見書が提出されたものである。
２．訂正の適否の判断
（1）訂正の内容
訂正事項ａ：請求項1の「この噴霧ノズルにポンプを介して水を供給する水供給管と、」とあるのを「この噴霧ノズルにポンプを介して水を常時供給する水供給管と、」と訂正する。
訂正事項ｂ：明細書の段落【0008】中の「この噴霧ノズルにポンプを介して水を供給する水供給管と、」とあるのを「この噴霧ノズルにポンプを介して水を常時供給する水供給管と、」と訂正する。
（2）訂正の目的の適否、新規事項の有無及び拡張・変更の存否
　上記訂正事項ａは、請求項1の水供給管について、「水を常時供給する水供給管」と訂正するものであるから、特許請求の範囲の減縮に該当する。また上記訂正事項ｂは、上記訂正事項ａと整合を図るために、明細書の発明の詳細な説明を訂正するものであるから、明りょうでない記載の釈明に該当する。
　そして、これら事項は、特許明細書の段落【0009】の「噴霧ノズルに、水および脱硝剤を供給するための供給管をそれぞれ別個に設けたので、例えば脱硝剤の供給が徐々に減った場合でも、水についてはいつでも供給することができ、したがって高温の焼却炉内に設けられた噴霧ノズルを冷却し得るとともに、塵埃によるノズル孔の閉塞を防止することができる。」、及び明細書の段落【0016】の「水は常に噴霧ノズル6に供給されているため、噴霧ノズル6の冷却が行われるとともに、塵埃によりノズル孔が閉塞するのが防止され、さらに噴霧ノズル6に付着した脱硫剤などを洗浄するため、耐食性の向上が図られる。」との記載から明らかなように、特許明細書に記載した事項の範囲内でなされたものであるから新規事項の追加に該当せず、実質的に特許請求の範囲を拡張又は変更するものでもない。
（3）むすび
　したがって、上記訂正は、特許法第120条の4第2項及び同条第3項で準用する第126条第2項及び第3項の規定に適合するので、当該訂正を認める。
３．特許異議申立てについての判断
（1）特許異議申立ての概要
　特許異議申立人吉田栄一は、証拠方法として、甲第1号証（「清掃技報第15号平成2年」東京都清掃局総務部企画室発行、平成2年3月31日、第48〜61頁）及び甲第2号証（社団法人全国都市清掃会議編集「第11回全国都市清掃研究発表会講演論文集」平成元年12月25日発行、第119頁）を提出して、本件請求項1に係る発明は、本件特許の出願前に頒布された刊行物である甲第1号証に記載された発明又は甲第1号証及び甲第2号証に記載された発明に基いて当業者が容易に発明をすることができたものであるから、特許法第29条第2項の規定により、特許を受けることができないものであると主張している。
（2）本件訂正発明
　上記訂正は、これを認容することができるから、訂正後の請求項1に係る発明（以下、「本件訂正発明」という）は、訂正明細書及び図面の記載からみて、その特許請求の範囲の請求項1に記載された事項により特定される次のとおりのものである。
「焼却炉から排出された排ガスを煙突に導く排ガス管路の途中に設けられたＮＯｘ検出器と、上記焼却炉内に配置されて脱硝剤および水が混合されてなる脱硝用液体を噴霧する噴霧ノズルと、この噴霧ノズルにポンプを介して水を常時供給する水供給管と、脱硝剤をポンプを介して上記水供給管の途中に供給する脱硝剤供給管とから構成するとともに、上記ＮＯｘ検出器からの検出値により、上記脱硝剤供給管途中に介装されたポンプだけを制御するようにしたことを特徴とする焼却炉における脱硝用液体供給装置。」
（3）甲各号証の記載内容
　甲第1号証及び甲第2号証には、それぞれ以下の事項が記載されている。
甲第1号証：「清掃技報第15号平成2年」
（ア）「昭和60年3月31日から窒素酸化物（以下「ＮＯｘ」という）の総量規制が既設清掃工場に適用され、各清掃工場において燃焼の安定化、低酸素（以下酸素は「Ｏ2」という）運転、炉内水噴霧などいわゆる燃焼制御法で対応してきた。・・・昭和61年度にＮＯｘ削減計画をたて、この一環として江東清掃工場と大井清掃工場に無触媒脱硝設備（以下「脱硝設備」という）を設置しＮＯｘ濃度の低減を図ることとした。」（第48頁第2〜8行参照）
（イ）「図ー2に無触媒脱硝設備フローを示す。主な設備として尿素水貯槽、尿素水廃液槽、希釈用水槽などがあり、付帯設備としてキャリー水送水ポンプ、尿素水注入ポンプ、ラインミキサー、流量計、先端が約20度曲げられた尿素水噴霧ノズル並びに中央制御室の監視盤などがある。・・・尿素水は濃度40％の溶液で購入し、・・・この原液は、その時のＮＯｘ濃度により任意に上水で希釈され、噴霧される。」（第49頁下から8行〜2行参照）
（ウ）「尿素水の噴霧には三通りの方法がある。第1番目の方法は手動操作でＮＯｘ濃度に関係なく尿素水を一定量噴霧する。第2番目の方法は自動で行われ、指示調節計で設定されたＮＯｘ濃度になるように噴霧量が変化する。第3番目の方法はリモート操作法というもので、自動操作に加え排ガス流量、蒸気発生量等の要素を加味し、予めＮＯｘ濃度を予測し、自動操作で生じがちな過敏な応答による煙突からの白煙発生を防止するようになっている。現在はリモート操作にて運転を行っている。なお、従来から実施してきた第1燃焼室での2ｔ／ｈの水噴霧は脱硝装置稼働炉では停止している。」（第50頁第4〜9行参照）
（エ）「表ー1は5、6号炉のリモート設定で、ＮＯｘ設定濃度90 ppm、40％尿素水噴霧量は15〜30ｌ／ｈ程度である。」（第50頁下から3〜2行参照）
（オ）「3.4　運転上のトラブル
　　前述のとおり、2流体尿素水噴霧ノズルは先端が約20度の角度を持っており、ノズルの挿入時はその向きと挿入長に気を配らねばならない。ノズルが炉内に出すぎていると先端が焼けてしまうし、短かめだと周囲の水管に尿素水が当たってしまう。そこでこのようなトラブルを防止するために、1〜4号炉の脱硝装置の増設に当たっては、従来の手動からリモート操作可能で向きも挿入長も不変なノズルに改造した。」（第52頁第2〜6行参照）
（カ）「図ー3にＮＨ3／ＮＯｘモル比と脱硝率及びリークアンモニア濃度の関係について示した。キャリー水は200ｌ／ｈ・本で、従来からの水噴霧は停止し、ノズルは中段2本としている。」（第52頁下から2〜1行参照）
（キ）「表ー3にノズル位置及び本数と脱硝率との関係について示した。この時のキャリー水は200ｌ／ｈ・本で、従来からの水噴霧は停止し、ＮＨ3／ＮＯｘモル比は約1.0に設定してある。」（第53頁第4〜5行参照）
甲第2号証：「第11回全国都市清掃研究発表会講演論文集」
（ク）第119頁には、都市ごみ焼却炉の実験装置に関する記載があり、その図ー1には、焼却炉内の噴霧装置とアンモニア水希釈タンクとを結ぶ管路に制御弁を設け、焼却炉から脱塩装置と電気集塵機（ＥＰ）を介して排出される排ガス管路にＮＯｘ計を設置し、ＮＯｘ計の測定信号で前記制御弁を制御してアンモニア希釈水の供給量を調節する「脱硝設備系統図」が記載されている。
４．当審の判断
　甲第1号証には、上記（ア）及び（イ）の記載から、主な設備として「尿素水貯槽、尿素水廃液槽、希釈用水槽」や、付帯設備として「キャリー水送水ポンプ、尿素水注入ポンプ、ラインミキサー、流量計、先端が約20度曲げられた尿素水噴霧ノズル並びに中央制御室の監視盤」からなる「焼却炉における無触媒脱硝設備」が記載されていると云える。また、この脱硝設備には、排ガスを煙突に導く排ガス管路が当然に設けられていると云えるから、この「脱硝設備」を本件訂正発明の記載振りに則って整理すると、「焼却炉から排出された排ガスを煙突に導く排ガス管路と、上記焼却炉内に配置された尿素水噴霧ノズルと、この尿素水噴霧ノズルにキャリー水送水ポンプを介して希釈用水を供給する水供給管と、尿素水を尿素水注入ポンプを介して上記尿素水噴霧ノズルに供給する尿素水供給管とから構成した焼却炉における尿素水供給装置」の発明（以下、「甲1発明」という）が記載されていると云える。
　そこで、本件訂正発明と甲1発明とを対比すると、本件訂正発明の「脱硝剤」には「尿素水」が使用されているから、両者は、「焼却炉から排出された排ガスを煙突に導く排ガス管路と、上記焼却炉内に配置されて脱硝剤および水が混合されてなる脱硝用液体を噴霧する噴霧ノズルと、この噴霧ノズルにポンプを介して水を供給する水供給管と、脱硝剤をポンプを介して噴霧ノズルに供給する脱硝剤供給管とから構成する焼却炉における脱硝用液体供給装置」の点で一致し、次の（1）乃至（3）の点で相違していると云える。
（1）本件訂正発明は、排ガス管路の途中にＮＯｘ検出器を設けているのに対し、甲1発明は、これを設けていない点
（2）本件訂正発明は、噴霧ノズルにポンプを介して水を常時供給するのに対し、甲1発明は、水を常時供給するか明らかでない点
（3）本件訂正発明は、上記ＮＯｘ検出器からの検出値により、上記脱硝剤供給管途中に介装されたポンプだけを制御するのに対し、甲1発明は、このような制御をしていない点
　次に、これら相違点の特に上記（2）の点について検討すると、甲1発明では、具体例である甲第1号証の図−2の「無触媒脱硝設備フロー」によれば、希釈用水が尿素水供給管の途中に供給されるのであり、本件訂正発明のように脱硝剤（尿素水に相当）が水供給管の途中に供給されるのではない。そしてこの設備の水は「希釈用」であり脱硝剤を希釈するためのものと解するのが相当であるから、噴霧ノズルに供給されるのは希釈用水で希釈された「尿素水」であり、この「希釈用水」がそのまま噴霧ノズルに常時供給されるものではない。また甲第1号証に記載の「脱硝設備」では、上記（オ）の記載によれば、噴霧ノズルの過熱の対策として噴霧ノズルの冷却は採用されていないから、この記載からも噴霧ノズルの冷却や閉塞防止のために「水」が噴霧ノズルに常時供給されていないことは明らかである。
　さらに、上記甲第1号証の上記（ウ）の「従来から実施してきた第1燃焼室での2ｔ／ｈの水噴霧は脱硝装置稼働炉では停止している」や上記（カ）の「キャリー水は200ｌ／ｈ・本で、従来からの水噴霧を停止し」という記載に徴すれば、無触媒脱硝設備では、その燃焼室での水噴霧は停止されているから、甲第1号証には、脱硝設備の焼却炉内での「水噴霧」について示唆されていないと云うべきであり、このような証拠の記載からでは「噴霧ノズルに水を常時供給」することは当業者といえど容易に想到することができないと云うべきである。
　次に、甲第2号証について検討すると、この証拠は、脱硝装置のＮＯｘ計を開示するだけのものであり、本件訂正発明の上記（2）の点については何ら示唆するものではない。
　してみると、本件訂正発明は、上記甲第1号証に記載された発明又は甲第1号証及び甲第2号証に記載された発明に基いて当業者が容易に発明をすることができたものとすることができないから、特許異議申立人の上記主張は採用することができない。
４．むすび
　以上のとおり、特許異議申立の理由及び証拠方法によっては本件訂正発明についての特許を取り消すことはできない。
　また、他に本件訂正発明について特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記結論のとおり決定する。
【異議決定日】
平成１３年１２月１１日（２００１．１２．１１）
【訂正の要旨】
訂正の要旨
　本件訂正の要旨は、本件特許第３０５９０９１号発明の特許明細書を平成１３年５月１１日付け訂正請求書に添付された訂正明細書のとおり、すなわち、特許請求の範囲の減縮及び明りょうでない記載の釈明を目的として、次の訂正事項ａ及びｂのとおりに訂正するものである。
訂正事項ａ：請求項１の「この噴霧ノズルにポンプを介して水を供給する水供給管と、」とあるのを「この噴霧ノズルにポンプを介して水を常時供給する水供給管と、」と訂正する。
訂正事項ｂ：明細書の段落【０００８】中の「この噴霧ノズルにポンプを介して水を供給する水供給管と、」とあるのを「この噴霧ノズルにポンプを介して水を常時供給する水供給管と、」と訂正する。
（５４）【発明の名称】
焼却炉における脱硝用液体供給装置
（５７）【特許請求の範囲】
　【請求項１】
　焼却炉から排出された排ガスを煙突に導く排ガス管路の途中に設けられたＮＯＸ検出器と、上記焼却炉内に配置されて脱硝剤および水が混合されてなる脱硝用液体を噴霧する噴霧ノズルと、この噴霧ノズルにポンプを介して水を
常時
【発明の詳細な説明】
　【０００１】
　【発明の属する技術分野】
　本発明は、焼却炉における脱硝用液体供給装置に関するものである。
　【０００２】
　【従来の技術】
　通常、焼却設備においては、図２に示すように、焼却炉５１から排出される排ガスは、排ガス管路５２の途中に設けられた集塵装置５３により飛灰などの塵埃が除去された後、煙突５４から大気に放出されている。
　【０００３】
　一般に、焼却炉５１から出た排ガス中にはＮＯＸが含まれており、環境汚染防止のために、集塵装置５３を出た排ガス中に含まれているＮＯＸ量がＮＯＸ検出器５５で検出され、そしてこの検出値に応じて、ＮＯＸ量を減少させる方向で、脱硝用液体として、水で希釈された尿素水が、噴霧ノズル５６から焼却炉５１内に噴霧されていた。
　【０００４】
　従来、この尿素水を排ガス中に噴霧供給する脱硝用液体供給装置は、タンクローリなどにより運ばれてきた尿素水を貯溜する貯槽５７と、この貯槽５７から尿素水および水を受け入れて尿素水を所定の濃度に希釈する希釈槽５８と、この希釈槽５８で希釈された所定濃度の尿素水（脱硝用液体）を噴霧ノズル５６に供給する尿素水供給配管５９と、この尿素水供給配管５９の途中に介装されたポンプ６０とから構成され、またこのポンプ６０は、ＮＯＸ検出器５５からのＮＯＸの検出値に応じて制御器６１により制御されている。
　【０００５】
　すなわち、ＮＯＸの検出値が所定値よりも多い場合には、ポンプ６０を駆動して、尿素水を噴霧ノズル５６から焼却炉５１内に噴霧し、またＮＯＸの検出値が所定値よりも少ない場合には、ポンプ６０が停止され、噴霧ノズル５６は自動的に引き出されていた。
　【０００６】
　【発明が解決しようとする課題】
　ところで、上記噴霧ノズル５６は焼却炉５１内に配置されており、高温ガスに曝されているため、冷却を必要とするが、ＮＯＸの検出値が所定値に近づくにつれて、ポンプ６０の吐出量が徐々に下がり、したがって噴霧ノズル５６の冷却が悪化するとともに、塵埃が付着してノズル孔が閉塞してしまい、噴霧ノズルを保護することができないという問題があった。
　【０００７】
　そこで、本発明は、噴霧ノズルを、常に、保護し得る焼却炉における脱硝用液体供給装置を提供することを目的とする。
　【０００８】
　【課題を解決するための手段】
　上記課題を解決するため、本発明の焼却炉における脱硝用液体供給装置は、焼却炉から排出された排ガスを煙突に導く排ガス管路の途中に設けられたＮＯＸ検出器と、上記焼却炉内に配置されて脱硝剤および水が混合されてなる脱硝用液体を噴霧する噴霧ノズルと、この噴霧ノズルにポンプを介して水を
常時
　【０００９】
　上記の構成によると、噴霧ノズルに、水および脱硝剤を供給するための供給管をそれぞれ別個に設けたので、例えば脱硝剤の供給が徐々に減った場合でも、水についてはいつでも供給することができ、したがって高温の焼却炉内に設けられた噴霧ノズルを冷却し得るとともに、塵埃によるノズル孔の閉塞を防止することができる。
　【００１０】
　【発明の実施の形態】
　以下、本発明の実施の形態における脱硝用液体供給装置を図１に基づき説明する。
　【００１１】
　図１において、１はごみ焼却炉で、この焼却炉１には、途中に集塵装置２が設けられて焼却炉１内の排ガスを煙突３に導くための排ガス管路４が接続されている。そして、この排ガス管路４の集塵装置２の下流側の途中には、ＮＯＸ量を検出するＮＯＸ検出器５が設けられている。
　【００１２】
　そして、この焼却炉１内には、排ガス管路４内のＮＯＸ量を抑制するために、尿素水、アンモニアなどの脱硝剤と水とを混合した脱硝用液体を噴霧するための噴霧ノズル６が設けられ、またこの噴霧ノズル６には、脱硝用液体を供給するための脱硝用液体供給配管７が接続されている。
　【００１３】
　この脱硝用液体供給配管７は、水タンク１１内の水をポンプ１２を介して供給する水供給管１３と、液体タンク１４内の脱硝剤をポンプ１５を介して上記水供給管１３の途中に供給する脱硝剤供給管１６とから構成され、また上記ポンプ１５は、ＮＯＸ検出器５からの検出値に応じて、制御器１７により制御される。なお、水供給管１３の脱硝剤供給管１６との接続箇所より下流側には、水と脱硝剤とを混合するためのラインミキサー１８が配置されている。
　【００１４】
　上記構成において、焼却炉１の稼働時には、両ポンプ１２，１５により、水と脱硝剤例えば尿素水とがラインミキサー１８で混合されて、焼却炉１内の噴霧ノズル６に供給される。これにより、燃焼室内におけるＮＯＸが還元されて窒素ガスとなり、ＮＯＸ量が低減される。
　【００１５】
　このとき、排ガス中のＮＯＸ量が多い場合には、ＮＯＸ検出器５からの検出値が制御器１７に送られ、尿素水の量を増加するようにポンプ１５が制御される。逆に、排ガス中のＮＯＸ量が徐々に減ってくる場合には、ポンプ１５の吐出量だけが徐々に減り、尿素水の供給が徐々に減ってくる。
　【００１６】
　この場合でも、水だけが噴霧ノズル６に定量供給されることになる。すなわち、水は常に噴霧ノズル６に供給されているため、噴霧ノズル６の冷却が行われるととともに、塵埃によりノズル孔が閉塞するのが防止され、さらに噴霧ノズル６に付着した脱硝剤などを洗浄するため、耐食性の向上が図られる。また、水と脱硝剤とを、混合希釈するための希釈槽（混合槽）を必要としない。
　【００１７】
　なお、上記実施の形態においては、脱硝用液体として、尿素水を説明したが、このものに限定されるものではなく、例えばアンモニア水なども使用することができる。
　【００１８】
　【発明の効果】
　以上のように本発明の構成によると、噴霧ノズルに水および脱硝剤を供給するための供給管をそれぞれ別個に設けたので、例えば脱硝剤を供給する必要がない場合でも、水についてはいつでも供給することができ、したがって高温の焼却炉内に設けられた噴霧ノズルを冷却し得るとともに、塵埃によるノズル孔の閉塞を防止することができ、さらには噴霧ノズルに付着した脱硝剤などが洗浄されるため、耐食性の向上を図ることができる。
【図面の簡単な説明】
　【図１】
　本発明の実施の形態における脱硝用液体供給装置の概略構成を示すブロック図である。
　【図２】
　従来例における脱硝剤供給装置の概略構成を示すブロック図である。
　【符号の説明】
　１　　焼却炉
　４　　排ガス管路
　５　　ＮＯｘ検出器
　６　　噴霧ノズル
１１　　水タンク
１２　　ポンプ
１３　　水供給管
１４　　液体タンク
１５　　ポンプ
１６　　脱硝剤供給管